(57)【要約】  【課題】室内障子及び室外障子が共に閉鎖された状態時にのみ施錠を可能とする空掛け防止機能付きのクレセント錠を提供する。  【解決手段】クレセント５を含む回動側に対しクレセント受け金具11に一端側が当接するように揺動可能に作動部材７を設けるとともに、前記操作レバー６部分に、クレセント５側に向けて付勢保持されるとともに、前記作動部材７の他端側に形成された突部７ｂが係合する、クレセント回動軸４を中心とする円に対して接線方向の線状溝８ｂが形成された空掛け防止部材８を設け、かつ前記ベース部材３に対して前記空掛け防止部材８の先端部が摺接する摺接部３ｃ、３ｄを形成するとともに、前記摺接部３ｃ、３ｄの中間部に前記空掛け防止部材８の先端部が係合する係合段部３ｅを形成する。【選択図】図３
2005232736.tif 000002
【特許請求の範囲】
【請求項１】
室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなるクレセント錠において、
前記クレセントを含む回動側に、クレセントの回動操作時に室内障子及び室外障子が正常に閉鎖されているならば、クレセント受け金具に一端側が当接するように揺動可能に作動部材を設けるとともに、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容されるとともに、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたことを特徴とするクレセント錠。
【請求項２】
前記空掛け防止部材の線状溝は、回動方向に対する接線方向に形成されている請求項１記載のクレセント錠。
【請求項３】
前記作動部材及び空掛け防止部材は、操作レバーの内面側に形成した窪み状空間部に設置してある請求項１、２いずれかに記載のクレセント錠。
【請求項４】
前記摺接部はベース部材のクレセント設置座面となるボス部の周縁部に形成した切欠き溝とし、下端側から回動方向に沿って形成された相対的に切欠き寸法の大きな第１摺接部と、これに連続する相対的に切欠き寸法の小さな第２摺接部とからなり、前記第１摺接部の終端に前記係合段部が形成されている請求項１〜３いずれかに記載のクレセント錠。
【発明の詳細な説明】
【技術分野】
【０００１】
本発明は、室内障子及び室外障子が共に閉鎖された状態時にのみ施錠を可能とした空掛け防止機能付きのクレセント錠に関する。
【背景技術】
【０００２】
従来より、引き違い窓等のサッシ用施錠装置としてクレセント錠が知られている。このクレセント錠は、図１１に示されるように、室内障子５４の縦框に取り付けられるベース部材５１と、このベース部材５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（例えば、下記特許文献１等参照）。
【０００３】
また、上記クレセント錠５０の場合は、内障子又は外障子が開放状態にあっても、クレセント５２を回動させることが可能であり、この施錠状態のまま障子を閉めると、外障子の縦框（召合せ框含む。）が室外側に突出したクレセント５２に衝突し、クレセントが変形したり損傷したりすることがある。これを防止するために、例えば下記特許文献２では、室内障子及び室外障子が共に閉鎖された状態にある時以外は、クレセント錠の操作レバーが施錠方向に回動できないようにした空掛け防止機能を備えたクレセント錠が提案されている。具体的に、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【特許文献１】特開平１１−９３４８８号公報
【特許文献２】特開平９−１５８５８４号公報
【発明の開示】
【発明が解決しようとする課題】
【０００４】
しかしながら、上記特許文献２に示される空掛け防止構造の場合には、施錠時に揺動体がクレセント受け金具の表面を摺接しながら、前記揺動体がクレセント受け金具を乗り越えるようになっているため、前記クレセント受け金具に施した表面処理が摩擦で剥げてしまい、見栄えが悪くなってしまう。また、前記揺動体の他端が上記クレセント受けもしくは外障子の召合せ框に当接する反力によって作動するとともに、前記揺動体がクレセント受け金具の表面を摺接するため、操作レバーの回動操作の抵抗が大きくなるため施錠操作がしづらいなどの問題があった。
【０００５】
そこで本発明の主たる課題は、第１に、空掛け防止機能を備えたクレセント錠を提供すること。そして第２に、クレセント側に設けた前記揺動体のように、クレセントに当接する部材がクレセント受け金具に摺接することなく乗り越えできるようにすることによってクレセント受け金具の表面処理が剥げてしまうような事態を回避するとともに、前記当接部材が大きな抵抗が無くスムーズに操作レバーを回動操作できるようにしたクレセント錠を提供することにある。
【課題を解決するための手段】
【０００６】
前記課題を解決するために請求項１に係る本発明として、室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなるクレセント錠において、
前記クレセントを含む回動側に、クレセントの回動操作時に室内障子及び室外障子が正常に閉鎖されているならば、クレセント受け金具に一端側が当接するように揺動可能に作動部材を設けるとともに、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容されるとともに、前記空掛け防止部材が付勢力に抗して押し込まれることにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたことを特徴とするクレセント錠が提供される。
【０００７】
上記請求項１記載の発明においては、前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容されるとともに、前記空掛け防止部材が付勢力に抗して押し込まれると共に、作動部材が揺動することにより、前記空掛け防止部材の先端が前記係合段部に係合することなく回動される。この際、前記作動部材はクレセント受け金具から徐々に離れるように揺動するため、クレセント受け金具に摺接することなく乗り越えるようになる。また、クレセント受け金具に摺接することなく乗り越えできるため、大きな抵抗が無くスムーズに操作レバーを回動操作できるようになる。
【０００８】
請求項２に係る本発明として、前記空掛け防止部材の線状溝は、回動方向に対する接線方向に形成されている請求項１記載のクレセント錠が提供される。
【０００９】
請求項３に係る本発明として、前記作動部材及び空掛け防止部材は、操作レバーの内面側に形成した窪み状空間部に設置してある請求項１、２いずれかに記載のクレセント錠が提供される。
【００１０】
請求項４に係る本発明として、前記摺接部はベース部材のクレセント設置座面となるボス部の周縁部に形成した切欠き溝とし、下端側から回動方向に沿って形成された相対的に切欠き寸法の大きな第１摺接部と、これに連続する相対的に切欠き寸法の小さな第２摺接部とからなり、前記第１摺接部の終端に前記係合段部が形成されている請求項１〜３いずれかに記載のクレセント錠が提供される。
【発明の効果】
【００１１】
以上詳説のとおり本発明によれば、クレセント側に設けたクレセント受け金具への当接部材（作動部材）がクレセント受け金具に摺接することなく乗り越えできるようになるため、クレセント受け金具の表面処理が剥げてしまうような事態を防止できるとともに、前記作動部材がクレセント受け金具に当接するものの、乗り越え時には摺接しないため、大きな抵抗が無く操作レバーを小さな力で回動操作できるようになる。
【発明を実施するための最良の形態】
【００１２】
以下、本発明の実施の形態について図面を参照しながら詳述する。
図１は本発明に係るクレセント錠１を示す図であり、図２(A)は回動阻止状態を示し、図２(B)は施錠状態を示す正面図、図３は分解図である。
【００１３】
先ず、クレセント錠１は、室内障子の召合せ縦框にビス等で取り付けられるベース部材３と、このベース部材３に対して回動軸４を回転中心として回動自在に取り付けられたクレセント５と、室内障子及び室外障子が共に閉鎖された状態時にのみ施錠を可能とするために追加された作動部材７及び空掛け防止部材８と、前記回動軸４と一体的に連設された操作レバー６とからなる施錠側金物２、及び室外障子の召合せ縦框にビス等で取り付けられ、前記クレセント５が係合するためのフックを備えたクレセント受け金具１１からなる。
【００１４】
そして、図２(B)に示されるように、前記操作レバー６を摘み、クレセント５をほぼ１８０度範囲で回動させることにより、クレセント５の周囲に形成された、壁高を漸次テーパー状に変化させた環状周壁５Ａが前記クレセント受け金具１１に対して係脱し、窓の施錠または解錠が成されるようになっている。
【００１５】
本クレセント錠１では、室内障子及び室外障子が共に閉鎖された状態にある時以外は、クレセント錠１の操作レバー６が施錠方向に回動できないようにした空掛け防止機能を備えている。すなわち、図２(A)に示されるように、室内障子及び室外障子が共に閉鎖されていなければ、操作レバー６は回動角度５０°の位置で回動が阻止され、それ以上回動できないようになっている。具体的には、前記クレセント５を含む回動側に、クレセント５の回動操作時に室内障子及び室外障子が正常に閉鎖されているならば、クレセント受け金具１１に一端側が当接するように揺動可能に作動部材を設けるとともに、前記操作レバー６部分に、クレセント５側に向けて付勢保持されるとともに、前記作動部材７の他端側に形成された突部７ｂが係合する線状溝８ｂが形成された空掛け防止部材８を設け、かつ前記ベース部材３に対して前記空掛け防止部材８の先端部が摺接する摺接部３ｃ、３ｄを形成するとともに、前記摺接部３ｃ、３ｄの中間部に前記空掛け防止部材８の先端部が係合する係合段部３ｅを形成している。
【００１６】
以下、さらに詳細に部材毎に構造を詳述するとともに、作動状態について詳述する。
【００１７】
先ず、前記ベース部材３は、図３及び図４に示されるように、縦方向に長い立方体状の部材で、基台部３Ａと、ボス部３Ｂとからなる。前記基台部３Ａは上下部にそれぞれビス孔３ａが形成され、室内障子の召合せ框に対してビス等で固定されるようになっている。前記ボス部３Ｂは、クレセント５が回動自在に取り付けられる台座面を構成する部分で略円形を成し、前記基台部３Ａよりも高く形成されているとともに、中央に操作レバー６の回動軸４が挿通される軸孔３ｂが形成されている。
【００１８】
前記ボス部３Ｂの周囲には、空掛け防止部材８の先端部が摺接する第１摺接部３ｃ、第２摺接部３ｄが形成されている。前記第１及び第２摺接部３ｃ、３ｄは共に周縁部を断面Ｌ字状に切り欠いた形状を成し、それぞれＬ字状切欠きの寸法に大小はあっても途中に係合段部３ｅを有しながら実質的に連続している。具体的には、前記第１摺接部３ｃは略下端位置から操作レバー６の所定の回動範囲に亘って形成された相対的に切欠き寸法の大きな摺接部であり、その終端部には空掛け防止部材８の先端部が係合する係合段部３ｅが形成されている。また、前記第２摺接部３ｄは前記係合段部３ｅを始点としてボス部３Ｂの略上端部までの範囲に相対的に小さな切欠き寸法として形成された摺接部である。ここで、前記係合段部３ｅは、空掛け防止部材８の先端を係合させて操作レバー６の回動を阻止するか、作動部材７の作用力によって空掛け防止部材８の先端を係合させずに操作レバー６の回動を許容するかの重要な機能を担うものである。
【００１９】
なお、本形態例では、前記第１及び第２摺接部３ｃ、３ｄを周縁部に断面Ｌ字状の切欠き溝として形成したが、空掛け防止部材８との摺接をガイドする構造であれば、断面凹状溝等の切欠き溝であってもよい。
【００２０】
次いで、前記操作レバー６は詳細には図５及び図６に示されるように、回動中心側部分に回動軸４が一体的に設けられた部材であり、その内面側には窪み状の空間が形成されている。この空間は、縦方向に長く立方体状の空間として形成された空掛け防止部材８の第１設置空間６Ａと、この第１設置空間６Ａに連続して前記回動軸４を含む範囲に形成された作動部材７の第２設置空間６Ｂとからなる。また、前記第２設置空間６Ｂ内には作動部材７を揺動可能に支持するための揺動軸孔６ａが形成され、前記回動軸４の隣接部にはクレセント５に形成された通孔５ｂ（図３参照）に係合し、操作レバー６に回動に伴ってクレセント５を同調的に回動させるための突部６ｂが形成されている。
【００２１】
前記第１設置空間６Ａに設置される空掛け防止部材８は、詳細には図７に示されるように、下部側にバネ設置孔部８ａが形成されるとともに、先端側側部には作動部材７の突部７ｂが係合する線状溝８ｂが形成されているとともに、前記ベース部材３の第１及び第２摺接部３ｃ、３ｄに係合する第１摺接係合部８ｃ、第２摺接係合部８ｄが形成されている。図１０(C)に示されるように、第１摺接係合部８ｃはボス部３Ｂの第１摺接部３ｃに整合するように円弧状に形成された係合部であり、ボス部３Ｂの第２摺接部３ｄにおいては前記第１摺接係合部８ｃと第２摺接係合部８ｄとが共に摺接するようになっている。なお、前記線状溝８ｂは回動軸４を中心とする仮想円（回動方向）に対して接線方向となる、部材幅方向に沿って形成されている。
【００２２】
一方、作動部材７は、詳細には図８に示されるように、略く字状を成す平板状部材であり、一方面側の中間部に揺動軸７ａが形成されているとともに、他方面側の下端に前記空掛け防止部材８の線状溝８ｂに係合する突部７ｂが形成されている。また、上端部にはクレセント受け金具との当接部７ｃが形成されている。なお、前記当接部７ｃをＬ字状に屈曲して形成したが、平板のままであってもよい。
【００２３】
前記操作レバー６、作動部材７及び空掛け防止部材８の組立ては、図５に示されるように、操作レバー６の第２設置空間６Ｂ部分に対し、作動部材７の揺動軸７ａを第２設置空間６Ｂに形成された揺動軸孔６ａに嵌入させるようにしながら回動軸４の隣接位置に設置するとともに、空掛け防止部材８はバネ設置孔８ａ内部にバネ部材９を内設した状態で第１設置空間６Ａに設置する。最後に、断面コ字状のカバー材１０を前記空掛け防止部材８を囲むようにしながら第１設置区間６Ａに嵌入する。前記空掛け防止部材８は、前記バネ部材９による弾発力によってクレセント５側に向けて常時、付勢されるようになっている。
【００２４】
また、クレセント５及びベース部材３との組立ては、図３に示されるように、操作レバー６の回動軸４をクレセント５の軸孔５ａに挿入するとともに、操作レバー６に形成された突部６ｂをクレセント５に形成された通孔５ｂに嵌合させることによって操作レバー６と一体的にクレセント５が回動するようになっている。クレセント５を装着したならば、ベース部材３の軸孔３ｂに挿通し、裏面側において抜脱不能に止めるようにする。この組立て状態では、前記空掛け防止部材８の摺接係合部８ｃ、８ｄ部は、ボス部３Ｂの第１摺接部３ｃ又は第２摺接部３ｄに対して係合している。
【００２５】
次いで、本クレセント錠１における作動状態を図９及び図１０により説明する。なお、図９は室内障子及び室外障子が共に閉鎖された状態であるため施錠が可能な場合の作動図を示し、図１０は室内障子及び／又は室外障子が開かれた状態であるため施錠が不可能な場合の作動図を示したものである。なお、図９では説明の便宜のために操作レバー６の回動角度と共に、空掛け防止部材８の移動量を例示的に併記してある。
【００２６】
〈障子閉鎖状態（施錠可能状態）〉
図９(A)は操作レバー６が下向きとなる解錠状態（図１参照）を示したものである。本ケースでは、室内障子及び室外障子が共に閉鎖された状態であるため、クレセント作動部材７の対向位置にはクレセント受け金具１１が定位している。
【００２７】
この状態で、操作レバー６を徐々に回動させると、図９(B)に示されるように、作動部材７の当接部７ｃがクレセント受け金具１１に当接する。前記当接部７ｃがクレセント受け金具１１に当接しても、前記空掛け防止部材８に形成された線状溝８ｂ内を作動部材７の突部７ｂが摺動することにより前記操作レバー６の回動が許容される。その後、引き続き操作レバー６を回動させると、作動部材７は僅かながら揺動しながら、空掛け防止部材８は徐々に付勢力に抗して押し込まれ、図９(C)の回動角度５０°の時点でボス部３Ｂの係合段部３ｅを乗り越える。また、空掛け防止部材８は徐々に付勢力に抗して押し込まれるとともに、作動部材７はクレセント５の回転と共に、徐々に起立方向に揺動し、クレセント受け金具１１から離間するようになるため、クレセント受け金具１１と接触することなく該クレセント受け金具１１を乗り越えるようになる。そして、最終的に操作レバー６が１８０°回動され、図９(G)に示される状態で施錠が完了する。
【００２８】
〈障子開放状態（施錠不能状態）〉
一方、図１０(A)に示されるように、室内障子及び／又は室外障子が開かれた状態であるためクレセント受け金具１１がクレセント対向位置に存在しない状態時に施錠が成されようとした場合には、図１０(B)に示されるように、作動部材７はクレセント受け金具１１に当接することがなく、空掛け防止部材８が付勢力に抗して押し込まれることがないため、図１０(C)に示されるように、空掛け防止部材８の第１摺接係合部８ｃがボス部３Ｂの第１摺接部３ｃに摺接した状態のまま回動され、第１摺接部３ｃ終点の係合段部３ｅに衝突すると、操作レバー６はそれ以上の回動が阻止されるため施錠が不可能となる。
【００２９】
〔その他の形態例〕
(1)上記形態例では操作レバー６の回動阻止角度が５０°である例を示したが、この角度はある程度の幅の範囲で任意に設定することが可能である。また、回動角度５０°の時点で空掛け防止部材８が2.3mm押し込まれるとしたが、この押込み距離等も所定の幅内で任意に設定が可能である。
【図面の簡単な説明】
【００３０】
【図１】本発明に係るクレセント錠１を示す、(A)は側面図、(B)は正面図、(C)は平面図である。
【図２】(A)は回動阻止状態を示す正面図、(B)は施錠状態を示す正面図である。
【図３】クレセント錠１の分解図である。
【図４】ベース部材３を示す、(A)は左側面図、(B)は正面図、(C)は右側面図、(D)は平面図である。
【図５】操作レバー６側部分の分解図（一部組立）である。
【図６】操作レバー６を示す、(A)は裏面図、(B)は側面図、(C)は正面図である。
【図７】空掛け防止部材８を示す、(A)は正面図、(B)は側面図である。
【図８】作動部材７を示す、(A)は左側面図、(B)は正面図、(C)は平面図である。
【図９】障子閉鎖状態（施錠可能状態）の作動図(A)〜(G)である。
【図１０】障子開放状態（施錠不能状態）の作動図(A)〜(C)である。
【図１１】従来のクレセント錠を示す斜視図である。
【符号の説明】
【００３１】
１…クレセント錠、２…施錠側金物、３…ベース部材、４…回動軸、５…クレセント、６…操作レバー、６Ａ…第１設置空間、６Ｂ…第２設置空間、６ａ…揺動軸孔、６ｂ…突部、７…作動部材、７ａ…揺動軸、７ｂ…突部、７ｃ…当接部、８…空掛け防止部材、８ａ…バネ設置孔、８ｂ…線状溝、８ｃ…第１摺接係合部、８ｄ…第２摺接係合部、９…バネ材、１０…カバー材
【図１】
2005232736.tif 000003
【図２】
2005232736.tif 000004
【図３】
2005232736.tif 000005
【図４】
2005232736.tif 000006
【図５】
2005232736.tif 000007
【図６】
2005232736.tif 000008
【図７】
2005232736.tif 000009
【図８】
2005232736.tif 000010
【図９】
2005232736.tif 000011
【図１０】
2005232736.tif 000012
【図１１】
2005232736.tif 000013